(57)【要約】【課題】往復動作式の切断装置を使用して、貫通口を効率的に、かつ、精度良く形成することができるようにする。【解決手段】切断装置の補助治具３３において、貫通枠２３の枠体５１のアッパフランジ５２に沿って移動自在に取り付けられた主プレート７１と、主プレート７１に対して移動自在に取り付けられ、枠体５１内の下方に向けて斜めに延びる傾斜部を備えた斜角プレート７２と、切断装置の本体に対して着脱自在に配設されたシュー６３を、傾斜部に対して移動自在に固定するシュー固定金具７３とを有する。主プレートに対して斜角プレート７２が切断装置のシュー６３が斜角プレート７２の傾斜部に対して移動自在に固定されるので、補助治具３３をアッパフランジ５２に沿って移動させるだけで、デッキプレート１２を容易に切断して貫通枠２３内に貫通口を形成することができる。【選択図】図１
0003190546.tif 000002
【実用新案登録請求の範囲】
【請求項１】
貫通枠内のデッキプレートを切断して貫通口を形成するための往復動作式の切断装置の補助治具において、
（ａ）前記貫通枠の枠体のアッパフランジに沿って移動自在に取り付けられた主プレートと、
（ｂ）該主プレートに対して移動自在に取り付けられ、前記枠体内の下方に向けて斜めに延びる傾斜部を備えた斜角プレートと、
（ｃ）前記切断装置の本体に対して着脱自在に配設されたシューを、前記傾斜部に対して移動自在に固定するシュー固定金具とを有することを特徴とする切断装置の補助治具。
【考案の詳細な説明】
【技術分野】
【０００１】
本考案は、切断装置の補助治具に関するものである。
【背景技術】
【０００２】
従来、ビル等の複数のフロアから成る建物を建設するに当たり、各フロアにわたって幹線ケーブル等のケーブルを敷設する場合、各フロアの床スラブに貫通口を形成し、ケーブルラック等を設置して、下方のフロアから上方のフロアに貫通口を介して幹線ケーブルを引き上げるようにしている。
【０００３】
この場合、床スラブにおけるケーブルを敷設する部分に、鋼材を組み合わせることによって形成された箱状の貫通枠が取り付けられ、該貫通枠の周囲にコンクリートが打設された後に、所定の切断装置によって、貫通枠内の床スラブのデッキプレートが貫通枠の内周縁に沿って切断され、貫通枠の形状に対応する前記貫通口が形成される。
【０００４】
なお、通常、デッキプレートは、十分な強度を持たせるために、所定のピッチで下面に向けて複数のリブが突出させられたり、所定のピッチで波打たせて凹凸が形成されたりしている（例えば、特許文献１参照。）。
【０００５】
ところで、デッキプレートを切断し、貫通口を形成するために、アーク切断、プラズマ切断等の切断技術を使用することが考えられるが、アーク切断においては、溶断火花が発生して下方のフロア側に散り、火災が発生する恐れがあり、プラズマ切断においては、熟練の作業者がプラズマ切断装置を操作しても、貫通口を形成するのに必要な時間が極めて長く、作業のコストが高くなるだけでなく、波打たせて凹凸が形成されたデッキプレートは切断することができず、貫通口を形成することができない。
【０００６】
そこで、レシプロソー、セーバーソー等の往復動作式の切断装置を使用し、ブレード（刃）を往復させることによってデッキプレートを切断し、貫通口を形成するようにしている。
【先行技術文献】
【特許文献】
【０００７】
【特許文献１】特開平８−３０２８７９号公報
【考案の概要】
【考案が解決しようとする課題】
【０００８】
しかしながら、前記従来の往復動作式の切断装置においては、ブレードがデッキプレートのリブ、凹凸等に当たると、ブレードに大きな反力が加わるので、作業中に切断装置をデッキプレートに押さえ付ける等、熟練した作業者が切断装置を慎重に操作しないと、ブレードが湾曲したり、折損したりして、デッキプレートを貫通枠の内周縁に沿って効率的に、かつ、精度良く切断することができなくなってしまう。
【０００９】
本考案は、前記従来の切断装置の問題点を解決して、往復動作式の切断装置を使用して、貫通口を効率的に、かつ、精度良く形成することができる切断装置の補助治具を提供することを目的とする。
【課題を解決するための手段】
【００１０】
そのために、本考案の切断装置の補助治具においては、貫通枠内のデッキプレートを切断して貫通口を形成するための往復動作式の切断装置に使用される。
【００１１】
そして、前記貫通枠の枠体のアッパフランジに沿って移動自在に取り付けられた主プレートと、該主プレートに対して移動自在に取り付けられ、前記枠体内の下方に向けて斜めに延びる傾斜部を備えた斜角プレートと、前記切断装置の本体に対して着脱自在に配設されたシューを、前記傾斜部に対して移動自在に固定するシュー固定金具とを有する。
【考案の効果】
【００１２】
本考案によれば、切断装置の補助治具においては、貫通枠内のデッキプレートを切断して貫通口を形成するための往復動作式の切断装置に使用される。
【００１３】
そして、前記貫通枠の枠体のアッパフランジに沿って移動自在に取り付けられた主プレートと、該主プレートに対して移動自在に取り付けられ、前記枠体内の下方に向けて斜めに延びる傾斜部を備えた斜角プレートと、前記切断装置の本体に対して着脱自在に配設されたシューを、前記傾斜部に対して移動自在に固定するシュー固定金具とを有する。
【００１４】
この場合、主プレートに対して斜角プレートが移動自在に取り付けられ、切断装置のシューが斜角プレートの傾斜部に対して移動自在に固定されるので、切断装置を作動させ、切断速度に合わせて補助治具をアッパフランジに沿って移動させるだけで、デッキプレートを容易に切断して貫通枠内に貫通口を形成することができる。
【００１５】
また、切断装置をデッキプレートに押さえ付ける必要がないので、ブレードが湾曲したり、折損したりすることがない。したがって、貫通口を効率的に、かつ、精度良く形成することができる。
【図面の簡単な説明】
【００１６】
【図１】本考案の実施の形態における補助治具を使用してデッキプレートを切断する状態を説明するための概念図である。
【図２】デッキプレートの断面図である。
【図３】デッキプレートの背面図である。
【図４】貫通枠の斜視図である。
【図５】貫通枠の平面図である。
【図６】蓋体の斜視図である。
【図７】デッキプレートに貫通枠を取り付けた状態を示す平面図である。
【図８】本考案の実施の形態におけるレシプロソーの斜視図である。
【図９】本考案の実施の形態におけるレシプロソーの要部斜視図である。
【図１０】本考案の実施の形態における上板の平面図である。
【図１１】本考案の実施の形態における上板の正面図である。
【図１２】本考案の実施の形態における下板の平面図である。
【図１３】本考案の実施の形態における斜角プレートを正面から見た展開図である。
【図１４】本考案の実施の形態における斜角プレートの側面図である。
【図１５】本考案の実施の形態における斜角プレートに対するレシプロソーの取付状態を示す図である。
【図１６】本考案の実施の形態における貫通枠内に貫通口を形成する作業手順を説明するための第１の図である。
【図１７】本考案の実施の形態における貫通枠内に貫通口を形成する作業手順を説明するための第２の図である。
【図１８】本考案の実施の形態における貫通枠内に貫通口を形成する作業手順を説明するための第３の図である。
【考案を実施するための形態】
【００１７】
以下、本考案の実施の形態について図面を参照しながら詳細に説明する。
【００１８】
図２はデッキプレートの断面図、図３はデッキプレートの背面図、図４は貫通枠の斜視図、図５は貫通枠の平面図、図６は蓋体の斜視図、図７はデッキプレートに貫通枠を取り付けた状態を示す平面図である。
【００１９】
図において、１２はデッキプレートであり、本実施の形態においては、平板状のデッキプレート１２が使用される。該デッキプレート１２は、本体部１３、及び該本体部１３に所定のピッチで、かつ、互いに平行に延在させて形成された複数のリブ１４を備える。
【００２０】
該各リブ１４は、デッキプレート１２に十分な強度を持たせるために、本体部１３の裏面において下方に垂下させて形成され、内部に断面が三角形の形状を有する中空部１６を備える。また、前記各リブ１４間の本体部１３には、デッキプレート１２に十分な強度を持たせるために、複数のエンボス１８が、リブ１４の長手方向に対して直角の方向に延在させて、かつ、所定のピッチで上方に向けて突出させて形成される。
【００２１】
なお、前記デッキプレート１２が組み立てられた後、デッキプレート１２上にコンクリートを打設することによって、ビル等の建物に使用される床スラブが形成される。
【００２２】
ところで、ビル等の複数のフロアから成る建物を建設するに当たり、各フロアの床スラブにわたって幹線ケーブル等のケーブルを敷設する場合、床スラブに貫通口を形成し、ケーブルラック等を設置して、下方のフロアから上方のフロアに貫通口を介して幹線ケーブルを引き上げるようにしている。
【００２３】
そこで、コンクリートが打設される前又は打設された後、本実施の形態においては、コンクリートが打設される前に、デッキプレート１２におけるケーブルを敷設する位置に、箱状の貫通枠２３が取り付けられ、該貫通枠２３の周囲にコンクリートが打設された後に、所定の往復動作式の切断装置、本実施の形態においては、後述されるレシプロソー３１（図８）によって、貫通枠２３内のデッキプレート１２が貫通枠２３の枠体５１の下端の内周縁ｅｇ１に沿って切断され、貫通枠２３内に、貫通枠２３の形状に対応する貫通口が形成される。なお、レシプロソー３１に代えてセーバーソーを使用することができる。
【００２４】
前記貫通枠２３は、鋼板を組み立てることによって形成され、上端及び下端が開放され、断面が矩形の形状を有する枠体５１、該枠体５１の上縁に沿って所定の幅で形成された第１のフランジとしてのアッパフランジ５２、前記枠体５１の下縁に沿って所定の幅で形成された第２のフランジとしてのロワフランジ５３、及び矩形の形状を有し、前記枠体５１の上端の開口を閉鎖する蓋体５６を備える。前記アッパフランジ５２及びロワフランジ５３は、枠体５１の四辺から外方に向けて突出させて形成される。なお、前記貫通枠２３は、例えば、長さが１２００〔ｍｍ〕、幅が２５０〔ｍｍ〕、深さが２００〔ｍｍ〕程度の寸法に形成される。
【００２５】
前記貫通枠２３をデッキプレート１２に取り付けるために、前記ロワフランジ５３の所定の箇所に貫通穴ｈ１が、デッキプレート１２における貫通穴ｈ１と対応する箇所に、図示されないねじ穴が形成され、固定要素としての図示されないねじが前記貫通穴ｈ１に貫通させられ、ねじ穴と螺合させられる。
【００２６】
また、前記蓋体５６を枠体５１に取り付けるために、蓋体５６の所定の箇所に貫通穴ｈ２が、アッパフランジ５２における貫通穴ｈ２と対応する箇所にねじ穴ｈ３が形成され、固定要素としての図示されないねじが前記貫通穴ｈ２に貫通させられ、ねじ穴ｈ３と螺合させられる。
【００２７】
ところで、前記レシプロソー３１は、後述されるブレード（刃）６４（図８）を往復させることによってデッキプレート１２を切断する。ところが、ブレード６４がデッキプレート１２の凹凸等、本実施の形態においては、リブ１４に当たると、ブレード６４に大きな反力が加わるので、作業中にレシプロソー３１を貫通枠２３に押さえ付ける等、熟練した作業者がレシプロソー３１を慎重に操作しないと、ブレード６４が湾曲したり、折損したりして、デッキプレート１２を貫通枠２３の下端の内周縁ｅｇ１に沿って、効率的に、かつ、精度良く切断することができなくなってしまう。
【００２８】
そこで、本実施の形態においては、後述される補助治具３３（図１) を使用し、補助治具３３を前記アッパフランジ５２に沿って移動させることによってデッキプレート１２を切断するようにしている。
【００２９】
図１は本考案の実施の形態における補助治具を使用してデッキプレートを切断する状態を説明するための概念図、図８は本考案の実施の形態におけるレシプロソーの斜視図、図９は本考案の実施の形態におけるレシプロソーの要部斜視図、図１０は本考案の実施の形態における上板の平面図、図１１は本考案の実施の形態における上板の正面図、図１２は本考案の実施の形態における下板の平面図、図１３は本考案の実施の形態における斜角プレートを正面から見た展開図、図１４は本考案の実施の形態における斜角プレートの側面図、図１５は本考案の実施の形態における斜角プレートに対するレシプロソーの取付状態を示す図である。
【００３０】
図において、１２はデッキプレート、２１は床スラブ、２３は貫通枠、２６は該貫通枠２３の周囲に打設されたコンクリートである。また、３１はデッキプレート１２を切断するためのレシプロソー、３３は該レシプロソー３１の補助治具、５１は前記貫通枠２３の枠体である。
【００３１】
前記レシプロソー３１は、レシプロソー３１の本体、すなわち、ソー本体部６１、該ソー本体部６１の前端において、ソー本体部６１に対して着脱自在に、かつ、矢印方向に進退自在に配設され、レシプロソー３１を作動させている間に、レシプロソー３１の位置を安定させるためのシュー６３、前記ソー本体部６１内の駆動部としての図示されないモータを駆動することによって往復動させられ、切断対象物、本実施の形態においては、デッキプレート１２を切断するブレード６４等を備え、前記ソー本体部６１の後端に把手６２が配設される。
【００３２】
前記シュー６３は、平坦な基部６６、及び該基部６６から立ち上げて形成され、一部がソー本体部６１に対して挿脱自在にされて配設された調整アーム６７を備える。該調整アーム６７をソー本体部６１から所定の量だけ引き出した状態で、ソー本体部６１に配設されたボタン６８を押下することによって、シュー６３を所定の位置でロックしたり、ロックを解除したりすることができる。前記ブレード６４は、基部６６に形成された長溝６９に貫通して延在させられる。
【００３３】
また、前記補助治具３３は、前記レシプロソー３１を保持するとともに、レシプロソー３１を貫通枠２３に対して位置決めするために使用される。そのために、前記補助治具３３は、アッパフランジ５２に沿って移動自在に配設された第１の支持部としての主プレート７１、該主プレート７１の所定の位置に、主プレート７１に対して移動自在に取り付けられた第２の支持部としての斜角プレート７２、及び該斜角プレート７２に対してシュー６３を移動自在に固定するためのシュー固定部材としてのシュー固定金具７３を備える。該シュー固定金具７３は、レシプロソー３１を取り付けるための切断装置取付部としても機能する。
【００３４】
そして、前記主プレート７１は、「Ｌ」字状の形状を有する鋼板から成り、貫通枠２３のアッパフランジ５２及び枠体５１の上半部の内周面を覆うように配設された第１の押え部としての上板７５、及び矩形の形状を有する鋼板から成り、アッパフランジ５２を挟んで前記上板７５と対向させて配設された第２の押え部としての下板７６を備える。
【００３５】
前記上板７５は、水平に延在させられる水平部８１、及び該水平部８１におけるアッパフランジ５２の内側縁の端部から垂下させられる垂下部８２を備える。前記補助治具３３を貫通枠２３に取り付けたときに、前記水平部８１はアッパフランジ５２の上面と当接させられ、前記垂下部８２は枠体５１の上半部の内周面と当接させられる。
【００３６】
前記水平部８１に複数の、本実施の形態においては、２個の長穴ｈ１１が所定の距離を置いて互いに平行に、かつ、前記アッパフランジ５２の幅方向に延在させて形成され、前記垂下部８２に複数の、本実施の形態においては、３個のねじ穴ｈ１２が上下方向に所定のピッチで並べて形成される。また、前記下板７６には、前記水平部８１における各長穴ｈ１１と対応させて、それぞれ複数の、本実施の形態においては、３個のねじ穴ｈ１３が、アッパフランジ５２の幅方向に所定のピッチで並べて形成される。
【００３７】
そして、前記アッパフランジ５２を挟んで前記水平部８１と下板７６とが対向させられ、前記各長穴ｈ１１において固定要素としての２個の蝶ねじｂｔ１、ｂｔ２が貫通させられ、所定のねじ穴ｈ１３と螺合させられる。この場合、前記各長穴ｈ１１における任意の位置で蝶ねじｂｔ１、ｂｔ２をねじ穴ｈ１３と螺合させることができるので、アッパフランジ５２の寸法に応じて、前記下板７６をアッパフランジ５２の幅方向に移動させ、所定の位置で上板７５に取り付けることができる。
【００３８】
また、前記斜角プレート７２は、上板７５に取り付けられた状態で、垂直方向下方に向けて延在させられる垂直部８５、及び該垂直部８５の下端から斜め下方（枠体５１内）に向けて延在させられる傾斜部８６を備え、垂直部８５と傾斜部８６とは、曲折点ｐ１（垂直部８５と傾斜部８６との交点）において所定の折れ角θ、本実施の形態においては、９０〔°〕以上、かつ、１３５〔°〕以下の範囲の角度を成すように形成される。前記補助治具３３を貫通枠２３に取り付けたときに、垂直部８５は垂下部８２に固定される。
【００３９】
そして、前記垂直部８５に１個の長穴ｈ２１が垂直方向に延在させて形成され、前記傾斜部８６に、複数行及び複数列、本実施の形態においては、３行３列に配列されたねじ穴ｈ２２がマトリックス状に形成され、各行間に、ブレード６４を貫通させるための長穴ｈ２３が水平方向に延在させて形成される。
【００４０】
そして、前記上板７５の垂下部８２と斜角プレート７２の垂直部８５とが当接させられ、長穴ｈ２１に固定要素としての２個の蝶ねじｂｔ３、ｂｔ４が貫通させられ、所定のねじ穴ｈ１２と螺合させられる。この場合、前記長穴ｈ２１における任意の位置で蝶ねじｂｔ３、ｂｔ４をねじ穴ｈ１２と螺合させることができるので、枠体５１の高さ方向における寸法に応じて、前記斜角プレート７２を枠体５１の高さ方向に移動させ、上板７５に取り付けることができる。
【００４１】
また、前記シュー固定金具７３は、金属製の板材から成り、シュー６３を挟んで両側に配設された押え部材としての一対の押え金具９１、９２、及び該押え金具９１、９２を傾斜部８６に固定するための固定要素としての蝶ねじｂｔ５、ｂｔ６を備え、２個の長穴ｈ２３のうちの一方においてブレード６４が貫通させられ、前記蝶ねじｂｔ５、ｂｔ６が、３行のうちの２行のねじ穴ｈ２２と螺合させられることによって、シュー６３の基部６６を傾斜部８６に当接させた状態で、レシプロソー３１が傾斜部８６における所定の位置に取り付けられる。
【００４２】
そのために、前記押え金具９１、９２は、傾斜部８６と当接させて延在させられ、蝶ねじｂｔ５、ｂｔ６を貫通させるための貫通穴ｈ２４が形成された取付部９４、該取付部９４におけるシュー６３側の一端と一体に形成され、逆「Ｕ」字型の形状を有する反転部９５、及び該反転部９５から垂下させて形成された係合部９６を備える。また、前記シュー６３の先端部分に、被係合部としての溝ｍ１が形成される。そして、前記係合部９６と溝ｍ１とを係合させた状態で、貫通穴ｈ２４に前記蝶ねじｂｔ５、ｂｔ６を貫通させ、ねじ穴ｈ２２と螺合させることによって、傾斜部８６における所定の位置にシュー６３を固定することができる。
【００４３】
したがって、シュー６３をソー本体部６１に取り付けることによってレシプロソー３１を補助治具３３に取り付け、レシプロソー３１を作動させることにより、図１に示されるように、貫通枠２３内のデッキプレート１２を切断することができる。
【００４４】
続いて、前記補助治具３３を使用し、レシプロソー３１によって貫通枠２３内のデッキプレート１２を切断し、貫通枠２３内に貫通口を形成するための作業手順について説明する。
【００４５】
図１６は本考案の実施の形態における貫通枠内に貫通口を形成する作業手順を説明するための第１の図、図１７は本考案の実施の形態における貫通枠内に貫通口を形成する作業手順を説明するための第２の図、図１８は本考案の実施の形態における貫通枠内に貫通口を形成する作業手順を説明するための第３の図である。
【００４６】
まず、図１６に示されるように、デッキプレート１２の所定の位置に枠体５１を取り付け、デッキプレート１２における所定の箇所、本実施の形態においては、枠体５１内の対角線上の２個のコーナ部Ａｒ１、Ａｒ２に、デッキプレート１２の切断を開始するに当たり、ブレード６４（図１）の先端を挿入するための、円形の形状を有する挿入穴ｈ３１を形成する。なお、デッキプレート１２の種類によって前記挿入穴ｈ３１を形成するのが困難な場合は、枠体５１内の４個のコーナ部Ａｒ１〜Ａｒ４に、挿入穴ｈ３１に加えて、ブレード６４の先端を挿入するための、スリット状の形状を有する挿入溝ｍ１１〜ｍ１４を形成することができる。
【００４７】
そして、前記デッキプレート１２における枠体５１内の所定の箇所、本実施の形態においては、中央部の２箇所に、円形の形状を有する穴ｈ３２を形成し、該穴ｈ３２を利用して図示されないワイヤの一端をデッキプレート１２に結び付け、ワイヤの他端を枠体５１の所定の箇所に結び付ける。これにより、前記内周縁ｅｇ１に沿ってデッキプレート１２を切断した場合に、切断片が下方のフロアに落下するのを防止することができる。
【００４８】
続いて、レシプロソー３１（図１）のシュー６３をソー本体部６１から取り外し、シュー固定金具７３によってシュー６３を傾斜部８６の所定の位置に固定した後、図１７に示されるように、補助治具３３を枠体５１に取り付ける。
【００４９】
この場合、アッパフランジ５２における、コーナ部Ａｒ１、Ａｒ３間の部分をフランジ部ｆ１とし、コーナ部Ａｒ１、Ａｒ４間の部分をフランジ部ｆ２とし、コーナ部Ａｒ２、Ａｒ４間の部分をフランジ部ｆ３とし、コーナ部Ａｒ２、Ａｒ３間の部分をフランジ部ｆ４とすると、補助治具３３は、フランジ部ｆ１のコーナ部Ａｒ１に隣接する部分が主プレート７１における上板７５及び下板７６によって挟まれるように、枠体５１に取り付けられる。
【００５０】
このとき、蝶ねじｂｔ１、ｂｔ２を緩め、各長穴ｈ１１に沿って移動させることによって、下板７６をアッパフランジ５２の幅方向に移動させ、下板７６が所定の位置に置かれたときに蝶ねじｂｔ１、ｂｔ２を締め付けることによって、アッパフランジ５２の寸法にかかわらず、上板７５及び下板７６によってアッパフランジ５２を確実に挟むことができる。
【００５１】
続いて、シュー６３をソー本体部６１に取り付けることによって、ソー本体部６１を補助治具３３に取り付ける。このとき、貫通枠２３の深さ等に応じて、ブレード６４が２個の長穴ｈ２３のうちの一方を貫通するように、シュー６３の傾斜部８６に対する固定位置があらかじめ設定される。
【００５２】
次に、ブレード６４の先端が内周縁ｅｇ１に向くように、主プレート７１に対する斜角プレート７２の位置を調整する。そのために、蝶ねじｂｔ３、ｂｔ４を緩め、長穴ｈ２１に沿って移動させることによって、垂直部８５を下板７６に対して垂直方向に移動させ、垂直部８５が、ブレード６４の先端が内周縁ｅｇ１に向く位置に置かれたときに、蝶ねじｂｔ３、ｂｔ４を締め付ける。
【００５３】
なお、例えば、長さが１２００〔ｍｍ〕、幅が２５０〔ｍｍ〕、深さが２００〔ｍｍ〕程度の貫通枠２３を使用した場合において、斜角プレート７２の折れ角θが１１８〔°〕である場合の、枠体５１の上端から斜角プレート７２の曲折点ｐ１までの距離で表される斜角プレート７２の設置深さを９６〔ｍｍ〕としたとき、曲折点ｐ１からシュー６３が取り付けられる位置までの距離で表されるシュー固定位置を４９〔ｍｍ〕とするのが好ましい。
【００５４】
続いて、レシプロソー３１の図示されない電源をオンにし、レシプロソー３１を作動させ、補助治具３３をフランジ部ｆ１に沿って図１８の矢印方向に移動させると、コーナ部Ａｒ１からコーナ部Ａｒ３にかけて、フランジ部ｆ１の下方の内周縁ｅｇ１に沿ってデッキプレート１２を切断することができる。
【００５５】
このようにして、デッキプレート１２がコーナ部Ａｒ１からコーナ部Ａｒ３にかけて内周縁ｅｇ１に沿って切断されると、補助治具３３が枠体５１から取り外され、続いて、補助治具３３は、フランジ部ｆ２のコーナ部Ａｒ１に隣接する部分が前記上板７５及び下板７６によって挟まれるように、枠体５１に取り付けられる。
【００５６】
そして、補助治具３３をコーナ部Ａｒ１からコーナ部Ａｒ４にかけてフランジ部ｆ２に沿って移動させると、コーナ部Ａｒ１からコーナ部Ａｒ４にかけて、フランジ部ｆ２の下方の内周縁ｅｇ１に沿ってデッキプレート１２を切断することができる。
【００５７】
同様に、補助治具３３をコーナ部Ａｒ２からコーナ部Ａｒ４にかけてフランジ部ｆ３に沿って移動させると、コーナ部Ａｒ２からコーナ部Ａｒ４にかけて、フランジ部ｆ３の下方の内周縁ｅｇ１に沿ってデッキプレート１２を切断することができ、補助治具３３をコーナ部Ａｒ２からコーナ部Ａｒ３にかけてフランジ部ｆ４に沿って移動させると、コーナ部Ａｒ２からコーナ部Ａｒ３にかけて、フランジ部ｆ４の下方の内周縁ｅｇ１に沿ってデッキプレート１２を切断することができる。
【００５８】
このように、本実施の形態においては、主プレート７１に対して斜角プレート７２が移動自在に取り付けられ、レシプロソー３１のシュー６３が斜角プレート７２の傾斜部８６に対して移動自在に固定されるので、レシプロソー３１を作動させ、切断速度に合わせて補助治具３３をアッパフランジ５２に沿って移動させるだけで、デッキプレート１２を容易に切断して貫通枠２３内に貫通口を形成することができる。
【００５９】
また、レシプロソー３１をデッキプレート１２に押さえ付ける必要がないので、ブレード６４が湾曲したり、折損したりすることがない。したがって、貫通口を効率的に、かつ、精度良く形成することができる。
【００６０】
なお、本考案は前記実施の形態に限定されるものではなく、本考案の趣旨に基づいて種々変形させることが可能であり、それらを本考案の範囲から排除するものではない。
【符号の説明】
【００６１】
１２    デッキプレート
２３    貫通枠
３１    レシプロソー
３３    補助治具
５１    枠体
５２    アッパフランジ
６３    シュー
７１    主プレート
７２    斜角プレート
７３    シュー固定金具
８６    傾斜部
【図１】
0003190546.tif 000003
【図２】
0003190546.tif 000004
【図３】
0003190546.tif 000005
【図４】
0003190546.tif 000006
【図５】
0003190546.tif 000007
【図６】
0003190546.tif 000008
【図７】
0003190546.tif 000009
【図８】
0003190546.tif 000010
【図９】
0003190546.tif 000011
【図１０】
0003190546.tif 000012
【図１１】
0003190546.tif 000013
【図１２】
0003190546.tif 000014
【図１３】
0003190546.tif 000015
【図１４】
0003190546.tif 000016
【図１５】
0003190546.tif 000017
【図１６】
0003190546.tif 000018
【図１７】
0003190546.tif 000019
【図１８】
0003190546.tif 000020